(57)【要約】【課題】ハンドオーバー時に発生する、基地局と端末装置間の一時的な下りスループットの低下を補う。【解決手段】無線通信によって端末装置と接続される基地局であって、前記基地局は、前記端末装置への通信に無線リソースを割り当てるスケジューラを備え、前記端末装置が接続される前記基地局を切り替えた直後、前記切替先の第１の基地局の前記スケジューラは、前記基地局を切り替えた端末装置への通信に通常より多い無線リソースを割り当て、前記第１の基地局は、前記割り当てられた無線リソースによって、前記端末装置へデータを送信する。【選択図】図１
2012004950.tif 000002
【特許請求の範囲】
【請求項１】
無線通信によって端末装置と接続される基地局であって、
前記基地局は、前記端末装置への通信に無線リソースを割り当てるスケジューラを備え、
前記端末装置が接続される前記基地局を切り替えた直後、前記切替先の第１の基地局の前記スケジューラは、前記基地局を切り替えた端末装置への通信に通常より多い無線リソースを割り当て、
前記第１の基地局は、前記割り当てられた無線リソースによって、前記端末装置へデータを送信することを特徴とする基地局。
【請求項２】
前記切替元の第２の基地局は、前記端末装置へ送信していないデータを前記第１の基地局へ転送し、
前記端末装置へ送信していないデータを前記第１の基地局が前記第２の基地局から受信した場合、前記スケジューラは、前記端末装置への通信のＱｏＳを上げるために、前記端末装置への通信に通常より多い無線リソースを割り当てることを特徴とする請求項１に記載の基地局。
【請求項３】
前記切替元の第２の基地局は、前記端末装置へ送信していないデータを前記第１の基地局へ転送し、
前記スケジューラは、前記第２の基地局から転送されたデータを前記端末装置へ送信するために、前記端末装置への通信に通常より多い無線リソースを割り当てることを特徴とする請求項１又は２に記載の基地局。
【請求項４】
前記スケジューラは、前記端末装置が前記基地局を切り替えた後、所定量の前記データを前記端末装置への送信が完了するまで、前記端末装置への通信に通常より多い無線リソースを割り当てることを特徴とする請求項１又は２に記載の基地局。
【請求項５】
前記スケジューラは、前記端末装置が前記基地局を切り替えた後の所定時間、前記端末装置への通信に通常より多い無線リソースを割り当てることを特徴とする請求項１又は２に記載の基地局。
【請求項６】
無線通信によって端末装置と接続される基地局における無線通信方法であって、
前記基地局は、前記端末装置への通信に無線リソースを割り当てるスケジューラを備え、
前記方法は、
前記端末装置が接続される前記基地局を切り替えた直後、前記切替先の第１の基地局の前記スケジューラが、前記基地局を切り替えた端末装置への通信に通常より多い無線リソースを割り当て、
前記第１の基地局が、前記割り当てられた無線リソースによって、前記端末装置へデータを送信することを特徴とする無線通信方法。
【請求項７】
前記切替元の第２の基地局は、前記端末装置へ送信していないデータを前記第１の基地局へ転送し、
前記端末装置へ送信していないデータを前記第１の基地局が前記第２の基地局から受信した場合、前記スケジューラが、前記端末装置への通信のＱｏＳを上げるために、前記端末装置への通信に通常より多い無線リソースを割り当てることを特徴とする請求項６に記載の無線通信方法。
【請求項８】
前記切替元の第２の基地局は、前記端末装置へ送信していないデータを前記第１の基地局へ転送し、
前記スケジューラは、前記第２の基地局から転送されたデータを前記端末装置へ送信するために、前記端末装置への通信に通常より多い無線リソースを割り当てることを特徴とする請求項６又は７に記載の無線通信方法。
【請求項９】
前記スケジューラは、前記端末装置が前記基地局を切り替えた後、所定量の前記データを前記端末装置への送信が完了するまで、前記端末装置への通信に通常より多い無線リソースを割り当てることを特徴とする請求項６又は７に記載の無線通信方法。
【請求項１０】
前記スケジューラは、前記端末装置が前記基地局を切り替えた後の所定時間、前記端末装置への通信に通常より多い無線リソースを割り当てることを特徴とする請求項６又は７に記載の無線通信方法。
【発明の詳細な説明】
【技術分野】
【０００１】
本発明は、基地局に関し、特に、端末装置のハンドオーバー後に端末装置と通信をする基地局に関する。
【背景技術】
【０００２】
モバイルデータ通信、すなわち、１ｘＥＶ−ＤＯ又はＬＴＥなどの、３．５Ｇ以降の移動体通信技術において、移動する端末は、基地局（ＢＳ）から別の基地局へハンドオーバーする（例えば、非特許文献１及び非特許文献２参照）。ハンドオーバーの前後の手順には、基地局と端末との接続の切り替え等の手順がある。そして、ハンドオーバーの手順には、基地局と端末との接続が切り替わるため、一時的に基地局と端末との通信ができない時間があり、これに伴い、基地局から端末への下りスループットが低下する。
【０００３】
１ｘＥＶ−ＤＯ又はＬＴＥにおいて、ハンドオーバーは、接続手順の途中を除き、１ｗａｙ接続である。ハンドオーバーでは、端末と移動元の基地局との切断、及び、端末と移動先基地局との接続が、呼処理によって実施される。この間、移動元基地局から移動先基地局へ、端末に送るべき下りトラフィックデータが転送（データフォワーディング）される。
【０００４】
移動元基地局から端末へ送信されていない下りトラフィックデータは、データフォワーディングによって移動先基地局に転送される。そして、データフォワーディングにおいて下りトラフィックデータの途切れや欠落が発生しないように、未送信の下りトラフィックデータは、基地局間の通信路を介して、移動先基地局に転送される。前記データは、移動先基地局に備わるスケジューラによって、端末装置へ送信される。
【先行技術文献】
【非特許文献】
【０００５】
【非特許文献１】３ＧＰＰ２  Ｃ．Ｓ００２４、Ｖｅｒｓｉｏｎ  ３．０、Ｄｅｃｅｍｂｅｒ  ５，２００１
【非特許文献２】３ＧＰＰ  ＴＳ  ３６．３００  （Ｖ８．０．０）、Ｍａｒｃｈ  ２００７、（１０．１．２．３  Ｄａｔａ  ｆｏｒｗａｒｄｉｎｇ）
【発明の概要】
【発明が解決しようとする課題】
【０００６】
端末のハンドオーバー前後において基地局間の下りトラフィックデータの転送処理をする場合、無線区間において、端末へ下りトラフィックデータを通信できないことによるタイムラグが発生し、基地局から端末への下りスループットが低下する。本発明の課題は、この下りスループットの低下を抑えるシステムの提供である。
【課題を解決するための手段】
【０００７】
本発明の代表的な一形態によると、無線通信によって端末装置と接続される基地局であって、前記基地局は、前記端末装置への通信に無線リソースを割り当てるスケジューラを備え、前記端末装置が接続される前記基地局を切り替えた直後、前記切替先の第１の基地局の前記スケジューラは、前記基地局を切り替えた端末装置への通信に通常より多い無線リソースを割り当て、前記第１の基地局は、前記割り当てられた無線リソースによって、前記端末装置へデータを送信する。
【発明の効果】
【０００８】
本発明の一実施形態によると、ハンドオーバー直後の移動端末の下りスループットが改善する。
【図面の簡単な説明】
【０００９】
【図１】本発明の実施形態の移動通信システムを示すブロック図である。
【図２】本発明の実施形態の基地局の論理的な構成を示すブロック図である。
【図３】本発明の実施形態のハンドオーバー前後のスケジューリングを示すシーケンス図である。
【図４】本発明の実施形態のハンドオーバー処理を示すシーケンス図である。
【図５】本発明の実施形態の基地局におけるスロット占有率を示す説明図である。
【図６】本発明の実施形態の下りスループットを示す説明図である。
【図７】本発明の実施形態の時間優先方法によるスケジューリングを示すフローチャートである。
【図８】本発明の実施形態のパケット数優先方法によるスケジューリングを示すフローチャートである。
【図９】本発明の実施形態のデータフォワーディング優先方法によるスケジューリングを示すフローチャートである。
【発明を実施するための形態】
【００１０】
本発明は、基地局に備わるスケジューラが、端末装置がハンドオーバーした際の下りスループット低下を補うためのアルゴリズムを用いることによって、実装する。
【００１１】
ハンドオーバーの移動元基地局は、ハンドオーバーを準備するために、端末装置に送信できなかった下りトラフィックデータをデータフォワーディングパケットに含め、そのデータフォワーディングパケットを、移動先基地局に転送する。移動先基地局は、データフォワーディングパケットを受信した場合、あらかじめ実装された設定に従って、所定期間、又は、データフォワーディングパケットをすべて処理するまで等の条件において、ハンドオーバーしてきた端末装置へ送る下りトラフィックデータ（パケット）に、優先度を設定する。移動先基地局に備わるスケジューラは、下り送信順序を制御することによって、パケットに設定された優先度に従って、パケットを端末に送信する。
【００１２】
（第１の実施形態）
（概要）
図１は、本発明の実施形態の移動通信システムを示すブロック図である。
【００１３】
本実施形態の移動通信システムは、ゲートウェイ（ＧＷ）１００、基地局（ＢＳ）１０１（１０１−１、１０１−２）、端末装置（ＵＥ）１０２（１０２−１〜１０２−６）、ＩＰ網１０３、サーバ１０４、Ｓ１インタフェース（Ｓ１ＩＦ）１０５、Ｘ２インタフェース（Ｘ２ＩＦ）１０６、及び、セル１０７（１０７−１、１０７−２）を備える。
【００１４】
ＧＷ１００は、ＩＰ網１０３を介してサーバ１０４と接続され、サーバ１０４から送られるデータ等を基地局１０１に転送し、また、基地局１０１から送られるデータ等をサーバ１０４に送る。
【００１５】
基地局１０１は、端末装置１０２から送られたデータを、ＧＷ１００を介してＩＰ網１０３に送り、ＩＰ網１０３から送られるデータを、端末装置１０２に送る。また、複数の基地局１０１間でデータを送受信する。端末装置１０２は、携帯端末等であり、無線通信によって基地局１０１にデータを送信する。
【００１６】
ＩＰ網１０３は、インターネットにおいて用いられるＩＰ通信用ネットワークである。サーバ１０４は、機能及びデータを端末装置１０２へ提供するコンピュータである。
【００１７】
基地局１０１及びＧＷ１００間は、Ｓ１ＩＦ１０５によって接続される。また、基地局１０１間は、Ｘ２ＩＦ１０６によって接続される。
【００１８】
セル１０７は、基地局１０１と端末装置１０２とが無線通信できる空間の範囲であり、セル１０７の範囲における端末装置１０２は、そのセル１０７を生成した基地局１０１と通信する。
【００１９】
本実施形態において、端末装置１０２−１は、基地局１０１−２と通信ができるセル１０７−２から基地局１０１−１と通信ができるセル１０７−１に移動する。そして、他の端末装置１０２−２〜１０２−６は、各々のセル１０７の外には移動しない。
【００２０】
基地局１０１−１のセル１０７−１と基地局１０１−２のセル１０７−２とは、互いに隣接する。また、本実施形態の移動通信システムは、基地局１０１を複数備えてもよく、セル１０７が複数存在してよい。
【００２１】
各基地局１０１は、端末装置１０２又は無線ベアラ各々の上下リンクについてスループットを測定し、プロポーショナルフェアネス法によってスケジューリングする。
【００２２】
本発明において、端末装置１０２−１がハンドオーバーする際に、その端末装置１０２−１について移動元基地局１０１−２によって計算済みのスループットの平均値（又は信号品質の平均値）が、移動先基地局１０１−１にＸ２ＩＦ１０６を介して通知される。移動先基地局１０１−１は、ハンドオーバーしてきた端末装置１０２−１のデータについての優先度を高く設定し、スケジューリングする。
【００２３】
（基地局）
図２は、本発明の実施形態の基地局１０１の論理的な構成を示すブロック図である。
【００２４】
図２は、下り通信のための基地局１０１の要素のみを示す。基地局１０１は、網インタフェース１０１０、優先判断部１０１１、スケジューラ１０１２、データ格納部１０１３、ＲＦ部１０１４、アンテナ１０１５、及び、バッファ１０１６を備える。
【００２５】
基地局１０１は、ＧＷ１００、又は、隣接する基地局１０１からデータを送られた場合、網インタフェース１０１０によってデータ（パケット）を受信する。そして、受信したデータを優先判断部１０１１に送る。
【００２６】
優先判断部１０１１は、ハンドオーバーしてきた端末装置１０２に関するデータか否かを判定し、判定結果をデータに含まれるヘッダに付与する。そして優先判断部１０１１は、判定結果をヘッダに付与したデータをスケジューラ１０１２に送る。
【００２７】
スケジューラ１０１２は、送られたデータに含まれるヘッダに基づいて、優先設定するか否かを判定し、判定結果に従って、端末装置１０２に送るデータをスケジューリングする。
【００２８】
データ格納部１０１３は、スケジューラ１０１２でスケジューリングされたデータを、基地局１０１に備わるバッファ１０１６に格納し、スケジューラ１０１２によるスケジューリングに従って、ＲＦ部１０１４及びアンテナ１０１５を介して、順次端末装置１０２−１へ送信する。
【００２９】
ＲＦ部１０１４は、データを端末装置１０２に送るため、データを含む信号の周波数を、無線周波数帯へ変換し、さらにその周波数を増幅するなどの処理をデータに行う。そして、アンテナ１０１５は、ＲＦ部１０１４から送られたデータを含む信号を、無線通信によって端末装置１０２に送信する。バッファ１０１６は、端末装置１０２に送るデータを保持する。
【００３０】
なお、スケジューラ１０１２によるスケジューリング方法には、ラウンドロビン、フェアネス、又は、プロポーショナルフェアネス等のスケジューリング方法がある。
【００３１】
本実施形態のプロポーショナルフェアネスは、端末装置１０２毎に又は無線ベアラ毎に、スループットの平均値と瞬時値との比率を算出し、その比率の大小に基づいて無線リソースを割り当てるアルゴリズムである。
【００３２】
すなわち、移動元基地局１０１−２は、自身が作るセル１０７−２から出ていく端末装置１０２−１について測定されたスループットの平均値を、基地局間インタフェースＸ２ＩＦ１０６を介して、移動先基地局１０１−１に通知する。そして移動先基地局１０１−１は、自身が生成するセル１０７−１に新たに入ってきた端末装置１０２−１のスケジューリング情報の平均値と、自身が生成するセル１０７−１内に既にいた端末装置１０２のスケジューリング情報の平均値とを比較する。さらに移動先基地局１０１−１は、新たに入ってきた端末装置１０２−１のスループットの平均値を上げることによって、優先度を上げてスケジューリングする。
【００３３】
具体的には、スケジューラ１０１２は、Ｍ番目の端末装置１０２（又は無線ベアラ）のＮ番目の論理チャネルに関し、過去のスループットに関する平均値Ｔ（Ｍ，Ｎ）と、瞬時的なスループットの推定値、すなわち、伝搬環境から瞬時的に達成できると推測される伝送レートＲ（Ｍ，Ｎ）とを取得する。そして、平均値Ｔ（Ｍ，Ｎ）と、伝送レートＲ（Ｍ，Ｎ）とから、比率Ｐｒｉ（Ｍ，Ｎ）を式（１）を用いて算出する。
【００３４】
Ｐｒｉ（Ｍ，Ｎ）＝｛Ｒ（Ｍ，Ｎ）／Ｔ（Ｍ，Ｎ）｝・・・（１）
そして、スケジューラ１０１２は、より大きな比率Ｐｒｉ（Ｍ，Ｎ）をもたらす端末装置１０２に、優先的に無線リソースを割り当てる。
【００３５】
従って、プロポーショナルフェアネス法において、ある端末装置１０２の比率Ｐｒｉ（Ｍ，Ｎ）の瞬時的なスループットＲ（Ｍ，Ｎ）が他の端末装置１０２のＲ（Ｍ，Ｎ）に比較して優良であったとしても、Ｒ（Ｍ，Ｎ）が自身の比率Ｐｒｉ（Ｍ，Ｎ）の過去のスループットの平均値Ｔ（Ｍ，Ｎ）と比較してかなり優れていなければ、端末装置１０２のＰｒｉ（Ｍ，Ｎ）に無線リソースは割り当てられない。
【００３６】
逆に、ある端末装置１０２のＰｒｉ（Ｍ，Ｎ）について瞬時的なスループットＲ（Ｍ，Ｎ）が他の端末装置１０２のＲ（Ｍ，Ｎ）に比較して劣っていたとしても、それが自身の比率Ｐｒｉ（Ｍ，Ｎ）の過去のスループットの平均値Ｔ（Ｍ，Ｎ）と比較してかなり優れていれば、端末装置１０２のＰｒｉ（Ｍ，Ｎ）に無線リソースが割り当てられる。これによって、スケジューラ１０１２は、システム全体のスループットの向上を図りつつ、端末装置１０２間のスループットに公平を期することができる。
【００３７】
そして、移動先基地局１０１−１は、個々に優先度を設定されたスループットの平均値に基づいて、ハンドオーバー後の端末装置１０２−１に送信されるパケットをスケジューリングするため、ハンドオーバー後の端末装置１０２−１の下りスループットを改善できる。
【００３８】
なお、本実施形態において、基地局１０１からのスループットは適切な方法によって測定されていればいずれの値でもよく、データ伝送効率（ｂｐｓ）、又は、送受信するパケット量等のような何らかの通信量を示す量によって測定されてよい。
【００３９】
また、適切な方法であれば、如何なる無線リソース管理情報であっても移動元基地局１０１−２から移動先基地局１０１−１に通知されてよい。すなわち、本実施形態のスケジューリングにおける平均値Ｔ（Ｍ，Ｎ）は、上りリンクの受信ＳＩＲ、端末装置１０２から報告されたＣＱＩ（下りリンクの受信ＳＩＲから導出される）、若しくは、伝搬損失などの信号品質、又は、パケットのバッファ滞留時間によって算出されてよい。
【００４０】
信号品質の平均値は、端末装置１０２毎に移動先基地局１０１−１に通知されてよい。バッファ滞留時間は、ハンドオーバー時に移動先基地局１０１−１が作るセル１０７−１へ、Ｘ２ＩＦ１０６を介して転送されるパケット各々の滞留時間であってよい。
【００４１】
プロポーショナルフェアネスによるスケジューリングアルゴリズムは、国際公開第２００９／１３１０９９号パンフレット等において提案されている。
【００４２】
本発明は、基地局１０１に備わる下りスケジューラ１０１２が、端末装置１０２−１、又は、ハンドオーバー直後の端末装置１０２−１（ＵＥ１）に対応する無線ベアラの、通信の優先度を高く設定することによって、ハンドオーバー前後の端末における下りスループットの向上を図るものである。
【００４３】
（ハンドオーバー処理）
図３は、本発明の実施形態のハンドオーバー前後のスケジューリングを示すシーケンス図である。
【００４４】
本実施形態の端末装置１０２−１のハンドオーバー処理は、Ｔｉｍｅ１〜Ｔｉｍｅ４の四つの段階に分割することができる。Ｔｉｍｅ１は、端末装置１０２−１が移動する前の段階であり、ハンドオーバーする前の段階を示す。Ｔｉｍｅ２は、端末装置１０２−１が移動した直後の段階であり、基地局１０１及び端末装置１０２−１がハンドオーバー処理を実施する段階である。
【００４５】
Ｔｉｍｅ３は、移動先基地局１０１−１が、基地局１０１から端末装置１０２−１への通信を、本実施形態の優先度を用いてスケジューリングし、端末装置１０２へデータを送る段階である。Ｔｉｍｅ４は、移動先基地局１０１−１が、本実施形態の優先度を用いたスケジューリングを終了し、通常のスケジューリングをする段階である。
【００４６】
Ｔｉｍｅ１における端末装置１０２−１（ＵＥ１）は、移動元基地局１０１−２（ＢＳ２）と通信し、サーバ１０４から送られるデータを、ＧＷ１００及び移動元基地局１０１−２を介して受信する（Ｐ１）。また、端末装置１０２−２及び１０２−３（ＵＥ２及びＵＥ３）は、移動先基地局１０１−１（ＢＳ１）と通信し、サーバ１０４から送られるデータを、ＧＷ１００及び移動先基地局１０１−１を介して受信する（Ｐ２、Ｐ３）。
【００４７】
端末装置１０２−１が移動することによって、端末装置１０２−１が移動元基地局１０１−２の電波より、移動先基地局１０１−１の電波を強く受信する場合、端末装置１０２−１は、移動元基地局１０１−２から移動先基地局１０１−１へハンドオーバーする旨の要求を、移動元基地局１０１−２に通知する。そして、移動元基地局１０１−２及び移動先基地局１０１−１は、ハンドオーバー処理を起動する。Ｔｉｍｅ２は、ハンドオーバー処理が起動した時点から開始する。
【００４８】
ハンドオーバー処理において、移動元基地局１０１−２は、ハンドオーバー起動中にＧＷ１００から受信した端末装置１０２−１への未送信データを、データフォワーディングパケットとして、移動先基地局１０１−１に転送する。
【００４９】
ハンドオーバー処理後、端末装置１０２−１は、移動先基地局１０１−１と通信し、サーバ１０４から送られるデータを、ＧＷ１００及び移動先基地局１０１−１を介して受信する（Ｐ４、Ｐ７、Ｐ１０）。また、端末装置１０２−２及び１０２−３（ＵＥ２及びＵＥ３）は、Ｐ２及びＰ３と同じく、移動先基地局１０１−１と通信する（Ｐ５、Ｐ６、Ｐ８、Ｐ９、Ｐ１１、Ｐ１２）。
【００５０】
基地局１０１−１は、Ｔｉｍｅ３における各端末装置１０２−１〜１０２−３への通信を、本実施形態の優先度を用いてスケジューリングし、端末装置１０２−１〜１０２−３へ送る（Ｐ７〜Ｐ９）。Ｔｉｍｅ２におけるデータフォワーディングパケットに含まれた未送信データも、Ｔｉｍｅ３において優先度を用いてスケジューリングし、端末装置１０２−１へ送る。Ｔｉｍｅ３は、後述する所定の時間、又は、所定のデータ量分を送信するまで続く。
【００５１】
また、Ｔｉｍｅ４において基地局１０１−１は、各端末装置１０２への通信を、本実施形態の優先度を用いずにスケジューリングし、端末装置１０２−１〜３へパケットデータを送る（Ｐ１０〜Ｐ１２）。
【００５２】
Ｔｉｍｅ２におけるハンドオーバー処理の詳細を、図４に示す。
【００５３】
図４は、本発明の実施形態のハンドオーバー処理を示すシーケンス図である。
【００５４】
以下、図４に示す処理を説明するが、図４に示す処理は一例に過ぎず、より多くの、より少数の又は別のプロセスが実行されてもよいし、適切ならばプロセスの順序が変わってもよい。特に、図４に示すＡ、Ｂ、Ｃ、Ｄの時点において、各基地局１０１は、各端末装置１０２との通信をスケジューリングするが、これらの時点においてのみスケジューリングが実施されるわけではなく、他の時点においてもスケジューリングが実施されてもよい。
【００５５】
まず、移動元基地局１０１−２は、各端末装置１０２との通信をスケジューリングし（Ａ）、各端末装置１０２から移動元基地局１０１−２への上り通信のための無線リソースを割り当てる。本実施形態のスケジューリングは、前述の通り、プロポーショナルフェアネス法によって行われる。
【００５６】
移動元基地局１０１−２は、プロポーショナルフェアネス法によるスケジューリングのため、上りリンク及び下りリンクの各端末装置１０２又は各無線ベアラ各々についてスループットを測定する。そして、前述の通り、測定された値の瞬時値Ｒ、平均値Ｔ及びそれらの比率を算出し、比率の大小関係に基づいて無線リソースをどの端末装置１０２又は無線ベアラに割り当てるかを決定する。
【００５７】
そして移動元基地局１０１−２は、無線リソースの割り当てを示す具体的内容を、下りＬ１／Ｌ２制御チャネルに含まれる上りリンクスケジューリンググラント（ＵＬ  ｇｒａｎｔ２０１）に格納し、上りリンクスケジューリンググラントを含むパケットを、下りＬ１／Ｌ２制御チャネルによって端末装置１０２−１に送信する。
【００５８】
端末装置１０２−１は、常に又は一定周期において、現在所属するセル１０７−２を生成した移動元基地局１０１−２から受信される電波強度、及び、セル１０７−２の周辺のセル１０７を生成する基地局１０１から受信される電波強度などを、各々測定する。
【００５９】
そして、現在所属しているセル１０７−２を生成した移動元基地局１０１−２からの電波強度が、その隣接したセル１０７を生成した移動先基地局１０１−１からの電波強度よりも弱くなった場合、所定のハンドオーバーイベントを生成する。そして、ハンドオーバーイベントが生成された場合、移動元基地局１０１−２から移動先基地局１０１−１にハンドオーバーする旨を移動元基地局１０１−２に通知するため、端末装置１０２−１は、ＵＬ  ｇｒａｎｔ２０１に示された無線リソースを用いて、移動元基地局１０１−２にＭｅａｓｕｒｅｍｅｎｔ  Ｒｅｐｏｒｔ２０２を送信する。
【００６０】
移動元基地局１０１−２は、Ｍｅａｓｕｒｅｍｅｎｔ  Ｒｅｐｏｒｔ２０２を受信することによって、Ｍｅａｓｕｒｅｍｅｎｔ  Ｒｅｐｏｒｔ２０２を送信した端末装置１０２−１がハンドオーバーする旨を取得する（ＨＯ  ｄｅｃｉｓｉｏｎ２０３）。なお、Ｍｅａｓｕｒｅｍｅｎｔ  Ｒｅｐｏｒｔ２０２には、端末装置１０２−１のハンドオーバー先である移動先基地局１０１−１を示す情報が含まれる。
【００６１】
移動元基地局１０１−２は、Ｍｅａｓｕｒｅｍｅｎｔ  Ｒｅｐｏｒｔ２０２を送信した端末装置１０２−１が、移動先基地局１０１−１をターゲットにしてハンドオーバーする旨を移動先基地局１０１−１に通知する（ＨＯ  Ｒｅｑｕｅｓｔ２０４）。本実施形態におけるＨＯ  Ｒｅｑｕｅｓｔ２０４には、既に移動元基地局１０１−２において算出された、端末装置１０２−１への下りスループットの平均値Ｔが含まれる。
【００６２】
また、移動元基地局１０１−２は、ＨＯ  Ｒｅｑｕｅｓｔ２０４と共に、一般的な無線リソース管理情報（ＲＲＭ：Ｒａｄｉｏ  Ｒｅｓｏｕｒｃｅ  Ｍａｎａｇｅｍｅｎｔ）を移動先基地局１０１−１に引き継いでもよい。移動元基地局１０１−２、及び、移動先基地局１０１−１は、前述の通り、基地局１０１間のインタフェースであるＸ２ＩＦ１０６を介して移動元基地局１０１−２と相互に通信する。
【００６３】
なお、無線リソース管理情報ＲＲＭは、ＨＯ  Ｒｅｑｕｅｓｔ２０４の送付時だけでなく、別のタイミングにおいて、移動元基地局１０１−２から移動先基地局１０１−１へ引き継がれてもよい。
【００６４】
但し、無線リソース管理情報ＲＲＭは、基地局１０１間で通信されるメッセージ数を減らすため、ＨＯ  Ｒｅｑｕｅｓｔ２０４と共に引き継がれることが望ましい。すなわち、無線リソース管理情報ＲＲＭをＨＯ  Ｒｅｑｕｅｓｔ２０４とともに送信することによって、本実施形態の基地局１０１は、ハンドオーバーのための処理に複数のメッセージを用いた場合に生じる問題を回避することができる。例えば、本実施形態の基地局１０１は、片方のメッセージが届かなかった場合、または、伝送路上で順序が逆転した場合の複雑なハンドリングが発生する場合などの問題を回避することができる。
【００６５】
移動先基地局１０１−１は、ＨＯ  Ｒｅｑｕｅｓｔ２０４を受信した後、ハンドオーバーを許可するか否かを判定する（Ａｄｍｉｓｓｉｏｎ  Ｃｏｎｔｒｏｌ２０５）。図４に示すＡｄｍｉｓｓｉｏｎ  Ｃｏｎｔｒｏｌ２０５において、移動先基地局１０１−１は、ハンドオーバーを許可する。しかし、移動先基地局１０１−１のセル１０７−１の中の端末装置１０２が非常に混んでいたような場合、移動先基地局１０１−１は、ハンドオーバーを拒否してもよい。
【００６６】
移動先基地局１０１−１は、ハンドオーバーを許可する旨を移動元基地局１０１−２に通知する（ＨＯ  Ｒｅｑｕｅｓｔ  ＡＣＫ２０６）。
【００６７】
ＨＯ  Ｒｅｑｕｅｓｔ  ＡＣＫ２０６を受信した後、移動元基地局１０１−２は、端末装置１０２−１への下りリンクに関する通信をスケジューリングし（Ｂ）、端末装置１０２−１に下りリンクの無線リソースを割り当てる（ＤＬ  Ａｌｌｏｃａｔｉｏｎ２０７）。無線リソースの割り当て内容は、下りＬ１／Ｌ２制御チャネルの下りスケジューリンググラントのパケットに格納される。
【００６８】
移動元基地局１０１−２は、下りスケジューリンググラントによって指定される共有データチャネルＰＤＳＣＨによって、ハンドオーバーを指示する旨を端末装置１０２−１に通知する（ＨＯ  Ｃｏｍｍａｎｄ２０８）。
【００６９】
端末装置１０２−１にハンドオーバーする旨を送信した後、移動元基地局１０１−２は、その端末装置１０２−１宛のパケットのうち、未送信のパケットを移動先基地局１０１−１に転送する（ＵＬ  Ｄａｔａ  Ｆｏｒｗａｒｄｉｎｇ２０９）。すなわち、本実施形態のデータフォワーディングは、ＵＬ  Ｄａｔａ  Ｆｏｒｗａｒｄｉｎｇ２０９によって行われる。ＵＬ  Ｄａｔａ  Ｆｏｒｗａｒｄｉｎｇ２０９は、基地局間インタフェースＸ２ＩＦ１０６を介して行われる。
【００７０】
移動先基地局１０１−１は、移動元基地局１０１−２から転送されたパケットを、バッファ１０１６に蓄積する（Ｂｕｆｆｅｒｉｎｇ  ｐａｃｋｅｔｓ２１０）。
【００７１】
前述のＤＬ  ａｌｌｏｃａｔｉｏｎ２０７及びＨＯ  Ｃｏｍｍａｎｄ２０８の処理によって、端末装置１０２−１は、ハンドオーバーが許可された旨を取得する。その後端末装置１０２−１は、移動先基地局１０１−１が生成するセル１０７−１において、移動先基地局１０１−１と同期をとるため、移動先基地局１０１−１にランダムアクセスチャネル（ＲＡＣＨ２１１）を送信する。
【００７２】
移動先基地局１０１−１は、端末装置１０２−１に上りリンクの無線リソースを割り当てるため、無線リソースの割り当て内容を含む上りリンクスケジューリンググラントを端末装置１０２−１に通知する。また、端末装置１０２−１から移動先基地局１０１−１に通信するタイミングを通知するため、上りリンクスケジューリンググラントと共に、必要に応じてタイミングアドバンスも端末装置１０２−１に通知する（ＵＬ  Ｇｒａｎｔ＋Ｔｉｍｉｎｇ  Ａｄｖａｎｃｅ２１２）。
【００７３】
端末装置１０２−１は、移動先基地局１０１−１からＵＬ  Ｇｒａｎｔ＋Ｔｉｍｉｎｇ  Ａｄｖａｎｃｅ２１２によって指示された無線リソースを用いて、ハンドオーバーが終了したことを移動先基地局１０１−１に通知する（ＨＯ  ｃｏｍｐｌｅｔｅ２１３）。
【００７４】
移動先基地局１０１−１は、移動先基地局１０１−１と通信する各端末装置１０２との通信をスケジューリングし（Ｃ）、端末装置１０２−１への通信に無線リソースを割り当てる。そして、移動先基地局１０１−１は、端末装置１０２−１宛のパケットを端末装置１０２−１に送信する（Ｐａｃｋｅｔ  Ｄａｔａ２１４）。
【００７５】
移動先基地局１０１−１は、Ｃの時点においてスケジューリングする際に、移動元基地局１０１−２から通知されたスループットの平均値Ｔを使用する。この平均値Ｔは、移動先基地局１０１−１によって生成されるセル１０７−１に入ったばかりの端末装置１０２−１に、固有の情報であり、プロポーショナルフェアネス法のスケジューリングにおいて使用される。スループットの平均値Ｔの代わりに、信号品質（ＳＩＲ，ＣＱＩ等）の平均値Ｔが使用されてもよい。
【００７６】
Ｐａｃｋｅｔ  Ｄａｔａ２１４において、基地局１０１より上位のＧＷ１００（ＭＭＥ／ＳＡＥ−ＧＷ）は、端末装置１０２−１へパケットを送信するためのパスを切り替えていない。このためＧＷ１００は、端末装置１０２−１宛の下りパケットを受信した場合、移動先基地局１０１−１からハンドオーバーをする旨を通知されるまで、端末装置１０２−１宛の下りパケットを移動元基地局１０１−２に転送する（Ｐａｃｋｅｔ  Ｄａｔａ２１５）。
【００７７】
移動元基地局１０１−２は、移動元基地局１０１−２が生成するセル１０７−２からハンドオーバーした端末装置１０２−１宛のパケットを、ＧＷ１００から受信した場合、ＵＬ  Ｄａｔａ  Ｆｏｒｗａｒｄｉｎｇ２０９のように、ＧＷ１００から受信したパケットを、移動先基地局１０１−１に転送する（ＤＬ  Ｄａｔａ  Ｆｏｒｗａｒｄｉｎｇ２１６）。移動先基地局１０１−１は、移動元基地局１０１−２から転送されたパケットを、バッファ１０１６に蓄積する。
【００７８】
一方、移動先基地局１０１−１は、端末装置１０２−１から送られたＨＯ  Ｃｏｍｐｌｅｔｅ２１３の通知に従って、端末装置１０２−１が移動先基地局１０１−１にハンドオーバーした旨をＧＷ１００に通知する（ＨＯ  Ｃｏｍｐｌｅｔｅ２１７）。
【００７９】
ＧＷ１００は、端末装置１０２−１のハンドオーバーに従って、ＧＷ１００から移動先基地局１０１−１を介して、端末装置１０２−１にパケットを送信できるように、ＧＷ１００自身が保持する伝送経路（パス）を切り替える。具体的には、ＧＷ１００は、端末装置１０２−１宛の下りパケットを移動元基地局１０１−２に転送せずに、以後端末装置１０２−１宛の下りパケットを移動先基地局１０１−１に転送するように切り替える（Ｐａｔｈ  Ｓｗｉｔｃｈ２１８）。
【００８０】
ＧＷ１００は、パスが切り替わった旨を移動先基地局１０１−１に通知する（ＨＯ  Ｃｏｍｐｌｅｔｅ  Ａｃｋ２１９）。
【００８１】
移動先基地局１０１−１は、ＧＷ１００から端末装置１０２−１へのパスが切り替わった旨を受信した後、移動元基地局１０１−２が端末装置１０２−１に関して保持していた無線リソース、メモリ等のリソースを解放するよう、移動元基地局１０１−２に通知する（Ｒｅｌｅａｓｅ  Ｒｅｓｏｕｒｃｅｓ２２０）。
【００８２】
移動元基地局１０１−２は、移動先基地局１０１−１から送られた通知に従ってリソースを解放する（Ｒｅｌｅａｓｅ  Ｒｅｓｏｕｒｃｅｓ２２１）。
【００８３】
ＧＷ１００から端末装置１０２−１へのパスが切り替わった後に、ＧＷ１００に端末装置１０２−１宛のパケットが届いた場合、ＧＷ１００は、端末装置１０２−１宛のパケットを移動先基地局１０１−１に転送する（Ｐａｃｋｅｔ  Ｄａｔａ２２３）。
【００８４】
移動先基地局１０１−１は、移動先基地局１０１−１と通信する各端末装置１０２との通信をスケジューリングし（Ｄ）、端末装置１０２−１にパケットを転送する（Ｐａｃｋｅｔ  Ｄａｔａ２２３）。
【００８５】
図４に示すシーケンス図のＭｅａｓｕｒｅｍｅｎｔ  Ｒｅｐｏｒｔ２０２からＨＯ  Ｃｏｍｐｌｅｔｅ２１３までが図３に示すＴｉｍｅ２に相当し、Ｃの時点におけるスケジューリングがＴｉｍｅ３におけるスケジューリングに相当する。但し、Ｃの時点においてスケジューリングをしない場合、または、Ｄの時点においても端末装置１０２−１への通信を優先してスケジューリングする場合、Ｔｉｍｅ３は、Ｄの時点においても継続する。
【００８６】
図５は、本発明の実施形態の基地局１０１におけるスロット占有率を示す説明図である。
【００８７】
図５に示すテーブルは、Ｔｉｍｅ１において端末装置１０２−２及び１０２−３が、移動先基地局１０１−１と通信をしており、Ｔｉｍｅ２において端末装置１０２−１が移動先基地局１０１−１に移動する場合のテーブルを示す。
【００８８】
Ｔｉｍｅ１において端末装置１０２−１は、移動元基地局１０１−２と通信をしているため、移動先基地局１０１−１は、端末装置１０２−２及び１０２−３にのみスロットを割り当てるよう、スケジューリングする。なお、本実施形態において移動元基地局１０１−２は、端末装置１０２−２及び１０２−３に等分にスロットを割り当てるが、あらかじめ定められた比率によってスロットを割り当ててもよい。
【００８９】
Ｔｉｍｅ２において端末装置１０２−１は、移動元基地局１０１−２から移動先基地局１０１−１へハンドオーバーする。但し、図５に示すテーブルは、一定期間における平均値を示す。このため、移動先基地局１０１−１が端末装置１０２−１に割り当てるスロット数の割合は、ほぼ０％である。
【００９０】
Ｔｉｍｅ３において端末装置１０２−１は、移動先基地局１０１−１と通信する。また、移動先基地局１０１−１は、端末装置１０２−１に対応する優先度に従って、端末装置１０２−１へ送信するパケットにスロットを割り当てることによって、パケットをスケジューリングする。図４に示す端末装置１０２−１は、Ｔｉｍｅ３において５０％のスロットが割り当てられる。端末装置１０２−２及び１０２−３は、２５％ずつのスロットが割り当てられる。
【００９１】
Ｔｉｍｅ４において端末装置１０２−１に対する優先度に基づいたスケジューリングは終了しているため、端末装置１０２−１、１０２−２及び１０２−３は、３３％ずつの同じスロット数が割り当てられる。
【００９２】
図６は、本発明の実施形態の下りスループットを示す説明図である。
【００９３】
図６に示す説明図は、図５に示すスケジューリングをした場合の、移動先基地局１０１−１から各端末装置１０２への下りスループットを示す図である。
【００９４】
Ｔｉｍｅ１における端末装置１０２−１は、移動先基地局１０１−１からスロットを割り当てられていないため、下りスループットが０％である。Ｔｉｍｅ２における端末装置１０２−１は、ハンドオーバー起動のタイミングにおいて、移動元基地局１０１−２からも移動先基地局１０１−１からも、短時間、無通信状態になる。このため、Ｔｉｍｅ２における端末装置１０２−１への下りスループットは、平均して０スループットである。
【００９５】
Ｔｉｍｅ３における移動先基地局１０１−１は、端末装置１０２−１に対応する優先度に従って、端末装置１０２−１にスロットを割り当てる。これによって、下りスループットが高くなり、ハンドオーバー時に低下した平均下りスループットを改善できる。一方で、端末装置１０２−２、及び、端末装置１０２−３において、端末装置１０２−１に優先してスロットを割り当てたことによって、下りスループットが下がる。
【００９６】
Ｔｉｍｅ４では、端末装置１０２−１に優先してスケジューリングする終了し、端末装置１０２−１、端末装置１０２−２、端末装置１０２−３のスロット占有率が一定となる。
【００９７】
通常、端末装置１０２がハンドオーバーによってセル１０７から出ていく（ＤＲＯＰ）場合、本実施形態の基地局１０１は、出ていく端末装置１０２に割り当てられなくなったスロットを、ハンドオーバーによってセル１０７に入ってくる（ＡＤＤ）別の端末装置１０２に割り当てる。これによって、基地局１０１は、セル１０７に入ってくる端末装置１０２のスループットを補正することができ、セクタ、すなわち基地局１０１のセル１０７内のスループットを向上できる。
【００９８】
パケットの優先度を設定する方法には、時間優先方法、パケット数優先方法、及び、データフォワーディング優先方法等がある。以下に時間優先方法、パケット数優先方法、及び、データフォワーディング優先方法によるスケジューリングを示す。
【００９９】
（優先方法によるスケジューリング）
図７は、本発明の実施形態の時間優先方法によるスケジューリングを示すフローチャートである。
【０１００】
時間優先方法によるスケジューリングは、端末装置１０２のハンドオーバー後、指定された期間を優先時間とし、その優先時間だけハンドオーバーした端末装置１０２へ送信するパケットを、他の端末装置１０２より優先してスケジューリングする。
【０１０１】
移動先基地局１０１−１は、自らに入力された全てのパケットについて、図７に示すフローチャートを繰り返す（Ｓ３００）。網インタフェース１０１０によって受信されたパケットは、図４に示すＢｕｆｆｅｒｉｎｇ  Ｐａｃｋｅｔｓ２１０において、バッファ１０１６に蓄積される。移動先基地局１０１−１の優先判断部１０１１は、スケジュールのタイミングにおいて、バッファ１０１６を参照し、入力されたパケットを取得する。
【０１０２】
まず移動先基地局１０１−１に備わる優先判断部１０１１は、入力されたパケットのヘッダを参照し、その結果、入力されたパケットが、データフォワーディングによって入力されたパケットのうち、先頭のパケットであるか否かを判定する（Ｓ３０１）。入力されたパケットが、データフォワーディングによって入力されたパケットのうち先頭のパケットではない場合、優先判断部１０１１は、Ｓ３０３に移行する。
【０１０３】
入力されたパケットが、データフォワーディングによって入力されたパケットのうち、先頭のパケットである場合、パケットを優先してスケジューリングする時間（優先設定時刻）を算出するため、Ｓ３０２において優先判断部１０１１は、データフォワーディングによって入力されたパケットのうち先頭のパケットに含まれる優先時間（ＳＯｐｔ１）を取得する。
【０１０４】
なお、データフォワーディングの先頭のパケットには、データフォワーディングの送信元の移動元基地局１０１−２、もしくは移動先基地局１０１−１によって、優先時間が格納される。優先時間は、あらかじめ管理者等によって定められる。
【０１０５】
また、Ｓ３０２において優先判断部１０１１は、現在時刻（ＣＴｉｍｅｒ）を取得する。そして、取得された現在時刻（ＣＴｉｍｅｒ）と優先時間（ＳＯｐｔ１）とを加算して、優先設定時刻（ＤＴｉｍｅｒ（ＵＥｎ））を算出する（Ｓ３０２）。
【０１０６】
Ｓ３０１又はＳ３０２の後、優先判断部１０１１は、現在時刻が優先設定時刻を超えないか否かを判定する（Ｓ３０３）。現在時刻が優先設定時刻を超えない場合、優先判断部１０１１は、Ｓ３０１において判定されたパケットであり、かつ、移動先基地局１０１−１から端末装置１０２−１へ送信するパケットを、優先してスケジューリングすることを示すフラグを生成する（以後、「優先設定をＯＮにする」と記載）（Ｓ３０４）。
【０１０７】
Ｓ３０３において、現在時刻が優先設定時刻を超えた場合、優先判断部１０１１は、Ｓ３０１において判定されたパケットが送信されるべき端末装置１０２−１へ、基地局１０１−１から送信するパケットを、優先してスケジューリングする必要がないため、Ｓ３０４において作成されたフラグを削除する（以下、「優先設定をＯＦＦにする」と記載）（Ｓ３０５）。
【０１０８】
Ｓ３０４又はＳ３０５の後、スケジューラ１０１２は、優先設定がＯＮであるか、又は、優先設定がＯＦＦであるかを示すフラグに従って、端末装置１０２−１へ送るパケットの優先してスケジューリングする（Ｓ３０６）。
【０１０９】
具体的にはＳ３０６において、スケジューラ１０１２は、優先設定がＯＮである端末装置１０２−１へ送信するパケットの優先度を上げることによって、端末装置１０２−１へ送信するパケットにスロットを多く割り当て、ＱｏＳを向上させる。これによって、移動先基地局１０１−１と通信したままの端末装置１０２−２及び１０２−３へのスループットよりも、ハンドオーバーによって移動先基地局１０１−１のセル１０７−１に入ってきた端末装置１０２−１へのスループットが向上する。
【０１１０】
そしてスケジューラ１０１２は、Ｓ３０６においてスケジューリングされたパケットを、データ格納部１０１３に格納する。その後、移動先基地局１０１−１は、割り当てられた下りスロットによって、パケットを送信する（Ｓ３０７）。Ｓ３０７の後、移動先基地局１０１−１は、別のパケットをバッファ１０１６から取得し、Ｓ３０１の処理に戻る（Ｓ３００）。
【０１１１】
なお、本実施形態の時間優先方法によれば、Ｓ３０４においてフラグをたてることによって、データフォワーディングによって端末装置１０２−１に送られるパケットも、ＩＰ網から端末装置１０２−１へ送られるパケットも、優先時間内であれば、いずれも優先してスケジューリングされる。また、図７に示す処理における優先時間は、図３に示すＴｉｍｅ３に相当する。
【０１１２】
図８は、本発明の実施形態のパケット数優先方法によるスケジューリングを示すフローチャートである。
【０１１３】
パケット数優先方法は、ハンドオーバーした端末装置１０２のパケットを、指定されたパケット数分だけ、他の端末装置１０２より優先する方法である。
【０１１４】
移動先基地局１０１−１は、図７に示すＳ３００と同じく、自らに入力された全てのパケットについて、図８に示すフローチャートを繰り返す（Ｓ３１０）。
【０１１５】
まず優先判断部１０１１は、入力されたパケットのヘッダを参照し、その結果、入力されたパケットが、データフォワーディングによって入力されたパケットのうち、先頭であるか否かを判定する（Ｓ３１１）。入力されたパケットが、データフォワーディングによって入力されたパケットのうち先頭のパケットではない場合、優先判断部１０１１は、Ｓ３１３に移行する。
【０１１６】
入力されたパケットが、データフォワーディングによって入力されたパケットのうち先頭のパケットである場合、優先してスケジューリングするパケット数を算出するため、優先判断部１０１１は、データフォワーディングによって入力されたパケットのうち、先頭のパケットに含まれる優先パケット数（ＳＯｐｔ２）を取得する。そして、取得されたパケット数を、パケットカウンター（ＰａｃｋｅｔＣｏｕｎｔｅｒ（ＵＥｎ））に入力する（Ｓ３１２）。
【０１１７】
なお、データフォワーディングの先頭のパケットには、データフォワーディングの送信元の移動元基地局１０１−２、もしくは移動先基地局１０１−１によって、優先パケット数が格納され、優先パケット数は、あらかじめ管理者等によって定められる。
【０１１８】
Ｓ３１１又はＳ３１２の後、優先判断部１０１１は、パケットカウンターが０より大きいか否かを判定する（Ｓ３１３）。パケットカウンターが０よりも大きい場合、優先判断部１０１１は、Ｓ３１１において判定されたパケットが送信されるべき端末装置１０２−１へ、移動先基地局１０１−１から送られるパケットを、優先してスケジューリングすることを示すフラグを生成する（Ｓ３１４）。すなわち、優先設定をＯＮにする。
【０１１９】
そして優先判断部１０１１は、パケットカウンターの値から、一パケット分減らす（Ｓ３１５）。
【０１２０】
Ｓ３１３において、パケットカウンターが０と同じか、０より小さい値であった場合、優先判断部１０１１は、Ｓ３１１において判定されたパケットのスケジューリングを優先しないため、Ｓ３１４において生成されたフラグを削除する（Ｓ３１６）。すなわち、優先設定をＯＦＦにする。
【０１２１】
Ｓ３１５又はＳ３１６の後、スケジューラ１０１２は、図７に示すＳ３０６と同じく、優先設定がＯＮであるか、又は優先設定がＯＦＦであるかを示すフラグに従って、パケットをスケジューリングする（Ｓ３１７）。
【０１２２】
そしてスケジューラ１０１２は、スケジューリングされたパケットをデータ格納部１０１３に格納する。その後移動先基地局１０１−１は、割り当てられた下りスロットによって、パケットを送信する（Ｓ３１８）。Ｓ３１８の後、優先判断部１０１１は、別のパケットをバッファ１０１６から取得し、Ｓ３１１の処理に戻る（Ｓ３１０）。
【０１２３】
なお、本実施形態のパケット数優先方法によれば、Ｓ３１４においてフラグをたてることによって、データフォワーディングによって端末装置１０２−１に送られるパケットも、ＩＰ網１０３から端末装置１０２−１へ送られるパケットも、一定のパケット数内であれば、いずれも優先してスケジューリングされる。また、図８に示す処理における優先パケット数のパケットがスケジューリングされるまで、図３に示すＴｉｍｅ３は継続する。
【０１２４】
図９は、本発明の実施形態のデータフォワーディング優先方法によるスケジューリングを示すフローチャートである。
【０１２５】
データフォワーディング優先方法は、端末装置１０２−１のハンドオーバーに伴うデータフォワーディングによって受信したパケットだけ、他の端末装置１０２のパケットよりも、優先してスケジューリングする方法である。
【０１２６】
移動先基地局１０１−１は、図７に示すＳ３００と同じく、自らに入力された全てのパケットについて、図９に示すフローチャートを繰り返す（Ｓ３２０）。まず優先判断部１０１１は、入力されたパケットのヘッダを参照し、その結果、入力されたパケットが、データフォワーディングによって入力されたパケットであるか否かを判定する（Ｓ３２１）。
【０１２７】
入力されたパケットが、データフォワーディングによって入力されたパケットである場合、優先判断部１０１１は、入力されたパケットが優先してスケジューリングされるよう、優先度を上げる設定をする（Ｓ３２２）。具体的には、データフォワーディングによって入力されたパケットに、優先してスケジューリングする旨の情報を付加する。
【０１２８】
また、入力されたパケットが、データフォワーディングによって入力されたパケットではない場合、優先判断部１０１１は、あらかじめ定められたスケジューリングをするため、入力されたパケットに優先度を上げる設定をしない（Ｓ３２３）。
【０１２９】
Ｓ３２２又はＳ３２３の後、スケジューラ１０１２は、パケットに優先設定されているか否かによって、パケットをスケジューリングする（Ｓ３２４）。パケットに優先設定がされている場合、そのパケットの優先度を上げてスケジューリングする。そしてスケジューラ１０１２は、スケジューリングされたパケットをデータ格納部１０１３に格納する。その後、移動先基地局１０１−１は、割り当てられたスロットによって、パケットを送信する（Ｓ３２５）。
【０１３０】
なお、本実施形態のデータフォワーディング優先方法によれば、Ｓ３２１及びＳ３２２においてデータフォワーディングされた各パケットに優先設定することによって、データフォワーディングされたすべてのパケットを、優先してスケジューリングすることができる。また、図９に示す処理におけるデータフォワーディングされたパケットが、すべて優先してスケジューリングされるまで、図３に示すＴｉｍｅ３は継続する。
【０１３１】
図７に示すＳ３０６、図８に示すＳ３１７、及び、図９に示すＳ３２５において、スケジューリングアルゴリズムにプロポーショナルフェアネスを用いる場合、スケジューラ１０１２は、バッファ１０１６に格納されたデータに、各端末装置１０２からの受信データをチェックすることによって、各端末装置１０２への全ＱｏＳを取得し、スケジューラ１０１２が、ＱｏＳ及びパケットの判定結果に基づいて、パケットをスケジューリングする。そして、スケジューリング結果に基づいて、順番にデータ格納部１０１３にパケットを格納する。
【０１３２】
本発明において、ハンドオーバーした端末装置１０２に送るパケットの優先度を上げる方法は、データフォワーディングパケットに、ＱｏＳから１減算した値（βと定義する）をユーザ選択指標である前述の比率Ｐｒｉ（Ｍ，Ｎ）に乗算し、乗算した結果をスケジューリング指標として用いてもよい。ＱｏＳが低い値である場合、そのＱｏＳによるパケットの送信がより優先される特徴があるため、移動先基地局１０１−１は、ユーザ選択指標が小さい端末装置１０２のスロットを送信する。
【０１３３】
なお、ＬＴＥにおいて、ＨＡＲＱの再送用データがフォワーディングデータとして送られてくるため、端末装置１０２からＨＡＲＱ再送要求が発生した場合、スケジューリングによらず、最も優先して送信してよい。
【０１３４】
本発明の実施形態によれば、ハンドオーバーした端末装置１０２に関する下りスループットが、一時的に低下した場合においても、ハンドオーバーした端末装置１０２への通信を優先してスケジューリングすることによって、低下したスループットを補うことができる。
【符号の説明】
【０１３５】
１００    ゲートウェイ（ＧＷ）
１０１    基地局（ＢＳ）
１０１−１  移動先基地局（ＢＳ１）
１０１−２  移動元基地局（ＢＳ２）
１０２、１０２−１〜１０２−６    端末装置（ＵＥ）
１０３    ＩＰ網
１０４    サーバ
１０５    Ｓ１インタフェース（Ｓ１ＩＦ）
１０６    Ｘ２インタフェース（Ｘ２ＩＦ）
１０７、１０７−１、１０７−２    セル
１０１０    網インタフェース
１０１１    優先判断部
１０１２    スケジューラ
１０１３    データ格納部
１０１４    ＲＦ部
１０１５    アンテナ
１０１６    バッファ
【図１】
2012004950.tif 000003
【図２】
2012004950.tif 000004
【図３】
2012004950.tif 000005
【図４】
2012004950.tif 000006
【図５】
2012004950.tif 000007
【図６】
2012004950.tif 000008
【図７】
2012004950.tif 000009
【図８】
2012004950.tif 000010
【図９】
2012004950.tif 000011